(57)【要約】【課題】  ユーザが表示画面を閲覧する際の画面表示の秘匿性を向上させた携帯情報端末を提供する。【解決手段】  多数の階調データからなる画像データ２ａを記憶する画像データ記憶部２と、画素間の階調差を縮小させるフィルター処理を行い、画像データ２ａから階調差縮小画像データを生成するフィルター処理部７と、フィルター処理を規定する変換テーブルであって、最も暗い表示階調の階調データを変換させた際の変換後の表示階調が互いに異なる複数の変換テーブル６ａ〜６ｃを記憶する変換テーブル記憶部６と、ユーザ操作に基づいて広視野モード及び狭視野モードのいずれかに動作モードを切り替える動作モード切替部５と、狭視野モードであれば、階調差縮小画像データをメインディスプレイ１０１に対して出力する画像データ切替部３により構成される。フィルター処理部７は、ユーザが選択した変換テーブルに基づいてフィルター処理を行う。【選択図】  図２
2008020750.tif 000002
【特許請求の範囲】
【請求項１】
表示画面を有する液晶パネルと、
画素ごとの表示階調を示す多数の階調データからなる画像データを記憶する画像データ記憶手段と、
上記各階調データについて上記画素間の階調差を縮小させるフィルター処理を行い、上記画像データから階調差縮小画像データを生成するフィルター処理手段と、
上記フィルター処理を規定する変換テーブルであって、最も暗い表示階調の階調データを変換させた際の変換後の表示階調が互いに異なる２以上の変換テーブルを記憶する変換テーブル記憶手段と、
ユーザ操作に基づいて、上記表示画面を広視野角で閲覧させる広視野モード及び狭視野角で閲覧させる狭視野モードのいずれかに動作モードを切り替える動作モード切替手段と、
上記液晶パネルに対して、上記動作モードが上記広視野モードであれば、上記画像データを出力し、上記動作モードが上記狭視野モードであれば、上記階調差縮小画像データを出力する画像データ切替手段とを備え、
上記フィルター処理手段は、ユーザが選択した上記変換テーブルに基づいて上記フィルター処理を行うことを特徴とする携帯情報端末。
【請求項２】
上記フィルター処理は、上記表示階調が暗くなるほど上記階調差の縮小割合を大きくして行われる処理であることを特徴とする請求項１に記載の携帯情報端末。
【請求項３】
上記各変換テーブルは、最も明るい表示階調の階調データを同一階調の階調データに変換させるテーブルであることを特徴とする請求項１に記載の携帯情報端末。
【請求項４】
上記フィルター処理手段が、上記表示画面上における表示領域の一部分に表示される画像データについて上記フィルター処理が行われており、上記表示領域の他の部分に表示される画像データについては上記フィルター処理が行われていない上記階調差縮小画像データを生成することを特徴とする請求項１から３のいずれかに記載の携帯情報端末。
【発明の詳細な説明】
【技術分野】
【０００１】
本発明は、携帯情報端末に係り、さらに詳しくは、液晶パネルに対して画像データを出力し表示画面上に表示させる携帯電話機などの携帯情報端末の改良に関する。
【背景技術】
【０００２】
近年、通話以外にも電子メールの送受信やウェブサイトの閲覧、スケジュールの管理などの様々な機能を備えた携帯電話機が普及している。この種の携帯電話機では、ユーザの個人情報を画面上に表示させることが少なくないことから、ユーザが表示画面を閲覧する際の秘匿性を向上させる必要がある。
【０００３】
そこで、覗き見を防止するために必要に応じて表示画面の視野角を狭小化する技術が提案されている。具体的には、情報を表示する液晶パネルの他に、この液晶パネルの表示画面に設けられる視野角制御用の液晶パネルを備え、視野角制御用の液晶パネルにおける液晶の配向を変化させることにより、表示画面の視野角を狭小化させている。また、特許文献１には、表示画面における階調カーブの視角による歪みを調整することにより、広視野角な表示と狭視野角な表示を切り替える液晶表示装置が開示されている。
【特許文献１】特開２００３−２９５１６０号公報
【発明の開示】
【発明が解決しようとする課題】
【０００４】
一般に、携帯電話機などの携帯情報端末では、画面表示の視認性を高めるという観点から、画面表示が高コントラスト化され、さらに、表示画面の照明が高輝度化される傾向にある。特に、最近では、ＴＮ（Twisted Nematic）モードに比べて、液晶分子の応答性が高く、広視野角のＡＳＶ（Advanced Super View）モードを使用する液晶パネルを備えた携帯情報端末も提案されている。従来、視野角制御用の液晶パネルを用いて視野角を狭小化する携帯情報端末には、情報表示用の液晶パネルの他に、視野角制御用の液晶パネルを要することから、製造コストが増大し、或いは、端末の厚みが増大するという問題があった。
【０００５】
本発明は、上記事情に鑑みてなされたものであり、ユーザが表示画面を閲覧する際の画面表示の秘匿性を向上させた携帯情報端末を提供することを目的としている。特に、製造コストや端末の厚みを増大させることなく、画面表示の覗き見を効果的に抑制することができる携帯情報端末を提供することを目的としている。
【課題を解決するための手段】
【０００６】
第１の本発明による携帯情報端末は、表示画面を有する液晶パネルと、画素ごとの表示階調を示す多数の階調データからなる画像データを記憶する画像データ記憶手段と、上記各階調データについて上記画素間の階調差を縮小させるフィルター処理を行い、上記画像データから階調差縮小画像データを生成するフィルター処理手段と、上記フィルター処理を規定する変換テーブルであって、最も暗い表示階調の階調データを変換させた際の変換後の表示階調が互いに異なる２以上の変換テーブルを記憶する変換テーブル記憶手段と、ユーザ操作に基づいて、上記表示画面を広視野角で閲覧させる広視野モード及び狭視野角で閲覧させる狭視野モードのいずれかに動作モードを切り替える動作モード切替手段と、上記液晶パネルに対して、上記動作モードが上記広視野モードであれば、上記画像データを出力し、上記動作モードが上記狭視野モードであれば、上記階調差縮小画像データを出力する画像データ切替手段とを備えて構成される。上記フィルター処理手段は、ユーザが選択した上記変換テーブルに基づいて上記フィルター処理を行う。
【０００７】
この携帯情報端末では、ユーザ操作に基づいて動作モードが切り替えられ、液晶パネルに対して、動作モードが広視野モードであれば、画像データが出力され、狭視野モードであれば、フィルター処理された画像データ、すなわち、階調差縮小画像データが出力される。狭視野モードでは、ユーザが選択した変換テーブルに基づいて画像データに対するフィルター処理が行われる。この様な構成により、動作モードを狭視野モードに切り替えることにより、画素間の階調差を縮小させて画像データを画面表示させることができるので、画面表示の覗き見を抑制することができる。特に、画像データに対するフィルター処理により、画面表示の覗き見を抑制させているので、視野角制御用の液晶パネルを用いる従来の携帯情報端末に比べて、製造コストや端末の厚みを増大させることなく、画面表示の秘匿性を向上させることができる。
【０００８】
第２の本発明による携帯情報端末は、上記構成に加え、上記フィルター処理が、上記表示階調が暗くなるほど上記階調差の縮小割合を大きくして行われる処理であるように構成される。
【０００９】
第３の本発明による携帯情報端末は、上記構成に加え、上記各変換テーブルが、最も明るい表示階調の階調データを同一階調の階調データに変換させるテーブルであるように構成される。一般に、液晶パネルを用いて行われる画像表示では、斜め方向から表示画面を見る場合、正面方向から見る場合に比べて、画像のコントラストが低下する。また、画素間の階調差を縮小させるとともに、表示階調を全体的に明るくすると、画像が見づらくなる。本発明による携帯情報端末では、動作モードを狭視野モードに切り替えた際、画素間の階調差を縮小させるとともに、最も明るい表示階調の階調データを同一階調の階調データに変換させる変換テーブルに基づいて、画像データがフィルター処理される。この様な構成によれば、動作モードを狭視野モードに切り替えることにより、画素間の階調差を適切に縮小させて画像データを画面表示させることができるので、画面表示の覗き見を効果的に抑制することができる。
【００１０】
第４の本発明による携帯情報端末は、上記構成に加え、上記フィルター処理手段が、上記表示画面上における表示領域の一部分に表示される画像データについて上記フィルター処理が行われており、上記表示領域の他の部分に表示される画像データについては上記フィルター処理が行われていない上記階調差縮小画像データを生成するように構成される。この様な構成によれば、表示画面上に画像データを表示する際、表示領域の一部分と他の部分とでコントラストを異ならせて表示することができるので、画面表示の覗き見をより効果的に抑制することができる。
【発明の効果】
【００１１】
本発明による携帯情報端末によれば、動作モードを狭視野モードに切り替えることにより、画素間の階調差を適切に縮小させて画像データを画面表示させることができるので、画面表示の覗き見を効果的に抑制することができる。特に、画像データに対するフィルター処理により、画面表示の覗き見を抑制させているので、視野角制御用の液晶パネルを用いる従来の携帯情報端末に比べて、製造コストや端末の厚みを増大させることなく、ユーザが表示画面を閲覧する際の画面表示の秘匿性を向上させることができる。また、表示画面上に画像データを表示する際、表示領域の一部分と他の部分とでコントラストを異ならせて表示することができるので、画面表示の覗き見をより効果的に抑制することができる。
【発明を実施するための最良の形態】
【００１２】
実施の形態１．
図１（ａ）及び（ｂ）は、本発明の実施の形態１による携帯情報端末の一例を示した外観図であり、携帯情報端末の一例として携帯電話機１が示されている。この携帯電話機１は、いわゆる折り畳み式の携帯電話機であり、表示筐体１００及び操作筐体２００がヒンジ部３００を介して連結され、表示筐体１００及び操作筐体２００の一面を対向させて折り畳むことができる。図１（ａ）には、両筐体を展開させた端末状態の様子が示され、図１（ｂ）には、折り畳んだ端末状態の様子が示されている。
【００１３】
表示筐体１００には、折り畳み時に内側となる筐体面にメインディスプレイ１０１及び受話用レシーバ１０３が配置され、外側となる筐体面にサブディスプレイ１０２及びカメラ１０４が配置されている。操作筐体２００には、折り畳み時に内側となる筐体面に各種操作キー２０１、「視野切替」キー２０２及び送話用マイクロフォン２０３が配置されている。
【００１４】
この様な折り畳み式の携帯電話機１は、コンパクトに折り畳んだ状態で携帯することができ、両筐体を展開させれば、メインディスプレイ１０１の表示を見ながら操作キー２０１を押下操作することができる。つまり、主な情報表示はメインディスプレイ１０１を用いて行われ、主な操作入力は操作キー２０１を用いて行われる。
【００１５】
メインディスプレイ１０１は、縦長の矩形形状の表示画面を有し、この表示画面内に個人情報を含む様々な情報が表示される。この様な表示が第三者によって覗き見られるのを防止するために、携帯電話機１は、左右方向の視野角を可変制御することができる。
【００１６】
具体的には、表示画面を広い視野角で閲覧させる動作状態としての広視野モードと、表示画面を狭い視野角で閲覧させる動作状態としての狭視野モードとを「視野切替」キー２０２の操作によって切り替えることができる。一般に、携帯電話機のメインディスプレイは、テレビ受像装置や据え置き型の情報端末装置に比べて表示面積が小さく、また、手に持って使用するために、ユーザの目と表示画面との位置関係が概ね一定であることから、視野角制御に適している。
【００１７】
なお、本実施の形態では、メインディスプレイ１０１について視野角制御を行う場合の例について説明するが、サブディスプレイ１０２についても、同様の視野角制御を適用することができるのはいうまでもない。
【００１８】
メインディスプレイ１０１は、表示画面を有する液晶パネル及びバックライトからなる周知の表示装置である。この液晶パネルは、２枚の絶縁性透明基板（例えば、ガラス基板）間に液晶が封入される。各透明基板の外面には、偏光板がそれぞれ配置され、内面には、透明電極（例えば、ＩＴＯ電極）がそれぞれ配置される。例えば、一般的なＴＦＴ方式の液晶パネルであれば、前面側の透明電極として共通電極が形成され、背面側の透明電極として多数の画素電極が形成される。
【００１９】
バックライトは、透過型の液晶パネルに対し、背面側から光を供給する光源装置である。液晶パネルは、各画素電極の電位を制御し、バックライトからの入射光を透過させるか否かを画素ごとにコントロールして文字や画像を表示している。つまり、上記画素電極の配置されている透明基板上のエリアが表示領域となり、この表示領域内の位置に応じて光の透過率を異ならせることによって、文字や図形からなる情報が表示される。ここでは、メインディスプレイ１０１を構成する液晶パネルとして、液晶分子の応答性が高く、広視野角のＡＳＶ（Advanced Super View）モードを使用する液晶パネルが用いられるものとする。
【００２０】
図２は、図１の携帯電話機の要部における構成例を示したブロック図であり、携帯電話機１内の機能構成の一例が示されている。この携帯電話機１は、画像データ記憶部２、画像データ切替部３、操作入力部４、動作モード切替部５、変換テーブル記憶部６、フィルター処理部７及びメインディスプレイ１０１により構成される。
【００２１】
画像データ記憶部２は、多数の階調データからなる画像データ２ａを記憶するメモリである。階調データは、画素ごとの表示階調を示すデータであり、各画素電極に対する印加電圧に対応している。表示階調は、画像データ２ａを画面表示させた際の輝度に相当するパラメータである。ここでは、各階調データが８ビットのデジタルデータ（階調数２５６）であるものとする。また、画像データ２ａは、赤（Ｒ）、緑（Ｇ）、青（Ｂ）の各色ごとに格納されるものとする。
【００２２】
操作入力部４は、視野切替キー２０２の操作に基づいて入力信号を生成する動作を行っている。動作モード切替部５は、ユーザによる視野切替キー２０２の操作に基づいて、表示画面を広視野角で閲覧させる広視野モードと、狭視野角で閲覧させる狭視野モードのいずれかに動作モードを切り替える処理を行っている。
【００２３】
画像データ切替部３は、動作モード切替部５からの指示に基づいて、フィルター処理部７によるフィルター処理後の画像データと、フィルター処理されていない画像データ２ａを切り替え、メインディスプレイ１０１に対して出力する動作を行っている。ここでは、各色の画像データがメインディスプレイ１０１に出力され、表示画面上にカラー画像が表示されるものとする。
【００２４】
変換テーブル記憶部６は、１つの画素について階調データが示す表示階調を変換するための複数の変換テーブル６ａ〜６ｃを記憶するメモリである。フィルター処理部７は、画像データ２ａを構成する各階調データについて、変換テーブル６ａ〜６ｃに基づく表示階調の変換処理を行っている。この変換処理は、画素間の階調差を縮小させるフィルター処理であり、ユーザが選択した変換テーブルに基づいて行われる。このフィルター処理部７では、全ての画素について変換テーブル６ａ〜６ｃに基づく表示階調の変換処理が行われる。
【００２５】
ここで、変換テーブル６ａ〜６ｃは、最も暗い表示階調の階調データを変換させた際の変換後の表示階調が互いに異なる変換テーブルである。各変換テーブル６ａ〜６ｃは、表示階調が暗くなるほど階調差の縮小割合を大きくして変換させるとともに、最も明るい表示階調の階調データを同一階調の階調データに変換させるテーブルとなっている。
【００２６】
ここでは、この様な変換テーブル６ａ〜６ｃをカラーパレットと呼ぶことにし、ＲＧＢの各色ごとに、階調データの変換先が規定されているものとする。また、変換テーブル６ａ〜６ｃとして、変換後の表示階調の大きい方から順に、「カラーパレット１」、「カラーパレット２」、「カラーパレット３」が予め格納されているものとする。
【００２７】
この様にして行われるフィルター処理により、画像データ２ａから階調差縮小画像データが生成され、画像データ切替部３へ出力される。
【００２８】
画像データ切替部３では、メインディスプレイ１０１に対して、動作モードが広視野モードであれば、画像データ２ａを出力し、動作モードが狭視野モードであれば、階調差縮小画像データを出力する動作が行われる。
【００２９】
広視野モードは、表示装置本来の視野角を再現する動作モードであり、通常の情報表示に使用される状態となっている。一方、ユーザによる「視野切替」キー２０２の操作によって動作モードが狭視野モードに切り替えられると、表示画面の視野角が狭められる。この狭視野モードは、他人に見られたくない特定の情報を表示する際に使用され、画面表示の視認可能な範囲を小さくした状態となっている。なお、狭視野モード時において、再度、「視野切替」キー２０２を操作すれば、視野角の狭小化、すなわち、階調差を縮小させるフィルター処理は解除され、広視野モードとなる。
【００３０】
広視野モード（広視野角）の場合、視野角内の視点からメインディスプレイ１０１を見れば、当然のことではあるが、画面表示を良好に視認することができる。同様に、狭視野モードの場合であっても、視野角内の視点からメインディスプレイを見れば画面表示を良好に視認することができる。一方、狭視野モード（狭視野角）の場合、広視野モードであれば視野角内となるが、狭視野モード時には視野角外となる視点からメインディスプレイ１０１を見れば、本来の画面表示はコントラストが低下し、表示内容の識別は容易ではない。
【００３１】
図３及び図４（ａ）〜（ｃ）は、図１の携帯電話機１における視野角制御の一例を示した図である。図３には、広視野モード時の表示画面１０の様子が示されている。表示画面１０は、電波の受信状態、電池残量などを示す絵文字（ピクトグラム）を表示する表示領域１１と、電子メールの本文、写真などを表示する表示領域１２からなる。
【００３２】
広視野モードでは、画像内で最も明るい画素と、最も暗い画素の輝度の比、すなわち、コントラストが３００：１となっている。
【００３３】
図４（ａ）〜（ｃ）は、狭視野モード時の表示画面１０を示した図であり、図４（ａ）には、左斜め方向から見た場合が示され、図４（ｂ）には、正面方向から見た場合が示され、図４（ｃ）には、右斜め方向から見た場合が示されている。狭視野モードでは、画像内で最も明るい画素及び最も暗い画素間の輝度の比、すなわち、コントラストが２：１〜３：１程度となっており、表示画面１０内の各表示領域１１及び１２について、画面表示のコントラストを低下させている。
【００３４】
この例では、図４（ａ）及び図４（ｃ）において、表示画面１０の正面方向に対して、左右それぞれ４５度の方向から見た場合が示されており、正面方向から見る場合に比べて、コントラストが低く見づらくなっている。
【００３５】
一般に、液晶パネルを用いて行われる画像表示では、斜め方向から表示画面を見る場合、正面方向から見る場合に比べて、画像のコントラストが低下する。また、画素間の階調差を縮小させるとともに、表示階調を全体的に明るくすると、画像が見づらくなる。従って、狭視野モード時には、画面表示のコントラストが低下することから、正面方向から表示画面１０を見る際に、広視野モード時に比べて幾分見づらくなるが、斜め方向から見る場合にはさらに視認性が低下するので、画面表示の覗き見を抑制することができる。
【００３６】
図５は、図１の携帯電話機１におけるフィルター処理の一例を示した図であり、入力画像データから出力画像データを得る際の変換特性が示されている。この例では、横軸を入力画像データの表示階調とし、縦軸を出力画像データの表示階調として変換特性が示されている。入力画像データをそのまま出力画像データとして出力させる際の特性曲線が曲線Ｂであり、傾き１の直線となっている。この曲線Ｂは、ｎ階調の入力画像データをｎ階調の出力画像データに変換する変換テーブルを示している。
【００３７】
一方、入力画像データをフィルター処理し、処理後の階調差縮小画像データを出力画像データとして出力させる際の特性曲線が曲線Ａとなっている。この曲線Ａは、最も明るい表示階調（２５５階調）の階調データを同一階調の階調データに変換させ、画素間の階調差を縮小させる変換テーブルを示している。
【００３８】
入力時の階調差ｄ１は、曲線Ａに従って、ｄ２（ｄ２<ｄ１）に縮小されている。ここでは、曲線Ａが入力レンジ内で下に凸でかつ右上がりの曲線であり、表示階調が暗くなるほど階調差の縮小割合が大きくなっている。すなわち、表示階調が低くなるほど、曲線の傾き（縮小率ｄ２／ｄ１）が小さくなっている。
【００３９】
図６は、図１の携帯電話機１におけるフィルター処理の一例を示した図であり、変換特性の異なる３つの特性曲線Ｐ１〜Ｐ３が示されている。特性曲線Ｐ１〜Ｐ３は、最も暗い表示階調（０階調）の階調データを変換させた際の変換後の表示階調が互いに異なる特性曲線であり、最も明るい表示階調の階調データを同一階調の階調データに変換させる。特性曲線Ｐ１は、ＲＧＢの各色の階調データに対する変換特性を示す曲線Ｐ１ｒ、Ｐ１ｇ及びＰ１ｂからなる。
【００４０】
曲線Ｐ１ｇでは、０階調の階調データが２１９階調に変換され、Ｐ１ｒ及びＰ１ｂでは、０階調の階調データがいずれも２１７階調に変換される。
【００４１】
特性曲線Ｐ２は、ＲＧＢの各色の階調データに対する変換特性を示す曲線Ｐ２ｒ、Ｐ２ｇ及びＰ２ｂからなる。曲線Ｐ２ｇでは、０階調の階調データが１９１階調に変換され、Ｐ２ｒ及びＰ２ｂでは、０階調の階調データがいずれも１８９階調に変換される。特性曲線Ｐ３は、ＲＧＢの各色の階調データに対する変換特性を示す曲線Ｐ３ｒ、Ｐ３ｇ及びＰ３ｂからなる。曲線Ｐ３ｇでは、０階調の階調データが１６３階調に変換され、Ｐ３ｒ及びＰ３ｂでは、０階調の階調データがいずれも１６１階調に変換される。
【００４２】
この様な変換特性により規定される変換テーブルがカラーパレットとして複数種類用意され、フィルター処理に用いる変換テーブルを必要に応じて切り替えることができる。この例では、同一階調の階調データに対する変換後の表示階調が大きい方から順に、特性曲線Ｐ１，Ｐ２，Ｐ３となっている。
【００４３】
図７は、図１の携帯電話機１における変換テーブル選択時の動作の一例を示した図であり、表示領域２２内にカラーパレット選択用のアイコンが配置された表示画面２０が示されている。この表示画面２０には、電波の受信状態や電池残量を示す絵文字を表示する表示領域２１と、カラーパレット選択用のアイコンを表示する表示領域２２が配置されている。
【００４４】
表示領域２２内には、「カラーパレット１」を示すアイコン「１輝度差小」と、「カラーパレット２」を示すアイコン「２輝度差中」と、「カラーパレット３」を示すアイコン「３輝度差大」が配置されている。操作キー２０１の操作により選択されたアイコン２３は、例えば、反転表示され、決定キーなどの操作によって当該カラーパレットがフィルター処理に用いる変換テーブルに指定される。この様に、視野角を狭小化させる際のフィルター処理に用いられる変換テーブルをユーザに選択させることにより、狭視野モード時における画面表示のコントラストを最適化することができる。
【００４５】
一般に、液晶パネルを用いて行われる画像表示では、個人差や体の調子（特に、目の調子）により見え具合が異なる場合がある。また、液晶パネルの個体差や温度変化、経年変化によっても見え具合が変化する場合がある。この様な場合であっても、複数種類のカラーパレットの中から、フィルター処理に用いるカラーパレットをユーザに選択させることにより、最適なコントラストで画像を表示させることができる。従って、正面方向から表示画面を見る場合のコントラスト低下を抑制しつつ、斜め方向からの覗き見を効果的に防止することができる。
【００４６】
本実施の形態によれば、動作モードを狭視野モードに切り替えることにより、画素間の階調差を適切に縮小させて画像データ２ａを画面表示させることができるので、画面表示の覗き見を効果的に抑制することができる。特に、画像データ２ａに対するフィルター処理により、画面表示の覗き見を抑制させているので、視野角制御用の液晶パネルを用いる従来の携帯情報端末に比べて、製造コストや端末の厚みを増大させることなく、ユーザが表示画面を閲覧する際の画面表示の秘匿性を向上させることができる。
【００４７】
なお、本実施の形態では、狭視野モード時にフィルター処理後の画像データが画面表示される場合の例について説明したが、本発明はこれに限られるものではない。例えば、フィルター処理後の画像データについて、誤差を拡散させるための誤差拡散処理を行い、誤差拡散処理後の画像データを画面表示させても良い。
【００４８】
この誤差拡散処理は、人間の視覚特性に基づいて擬似的に生成させたノイズを画像データに付加することによって、階調（輝度）の変わり目を目立たなくする画像処理である。この様な構成によれば、視野角狭小化のために画面表示のコントラストを低下させても階調の変わり目を目立たなくすることができるので、狭視野モード時の表示品質を向上させることができる。
【００４９】
実施の形態２．
実施の形態１では、狭視野モード時に階調差縮小画像データを表示画面１０上に表示させる場合の例について説明した。これに対し、本実施の形態では、表示領域の一部分に表示される画像データについてのみ視野角狭小化のためのフィルター処理を行う場合について説明する。
【００５０】
図８は、本発明の実施の形態２による携帯情報端末の要部における構成例を示したブロック図である。この携帯情報端末３０は、図２の携帯電話機１と比較すれば、領域分割処理部３１を備えている点で異なる。領域分割処理部３１は、表示画面上の表示領域を分割し、表示領域の一部分に表示される画像データ２ａをフィルター処理部３２へ出力するとともに、表示領域の他の部分に表示される画像データ２ａを画像データ切替部３へ出力する動作を行っている。
【００５１】
具体的には、電子メールのメール本文などを表示するための表示領域に表示させる画像データについてフィルター処理を行い、処理後の画像データを画像データ切替部３へ出力させる。一方、絵文字を表示するための表示領域に表示させる画像データについては、フィルター処理を行わずに画像データ切替部３へ出力させる。つまり、メール本文などを表示する表示領域についてはフィルター処理が行われており、絵文字を表示する表示領域についてはフィルター処理が行われていない階調差縮小画像データが生成され、画像データ切替部３に入力される。
【００５２】
図９（ａ）及び（ｂ）は、図８の携帯情報端末における視野角制御の一例を示した図であり、図９（ａ）には、広視野モード時の表示画面３３の様子が示され、図９（ｂ）には、狭視野モード時の表示画面３３の様子が示されている。表示画面３３は、絵文字を表示する表示領域３４と、電子メールのメール本文などを表示する表示領域３５からなる。
【００５３】
狭視野モードでは、表示領域３５内に表示させる一部分の画像データについてのみフィルター処理が行われる。このため、表示領域３５内の表示が、広視野モード時に比べてコントラストが低くなっている。表示領域３４の表示は、広視野モード及び狭視野モードで共通している。
【００５４】
この様な構成によれば、狭視野モード時に、表示領域の一部分と他の部分とでコントラストを異ならせて表示することができるので、特定の表示領域について画面表示の覗き見を抑制しつつ、他の表示領域については視認性が低下するのを防止することができる。
【図面の簡単な説明】
【００５５】
【図１】本発明の実施の形態１による携帯情報端末の一例を示した外観図であり、携帯情報端末の一例として携帯電話機１が示されている。
【図２】図１の携帯電話機の要部における構成例を示したブロック図であり、携帯電話機１内の機能構成の一例が示されている。
【図３】図１の携帯電話機１における視野角制御の一例を示した図であり、広視野モード時の表示画面１０の様子が示されている。
【図４】図１の携帯電話機１における視野角制御の一例を示した図であり、狭視野モード時の様子が示されている。
【図５】図１の携帯電話機１におけるフィルター処理の一例を示した図であり、入力画像データから出力画像データを得る際の変換特性が示されている。
【図６】図１の携帯電話機１におけるフィルター処理の一例を示した図であり、変換特性の異なる３つの特性曲線Ｐ１〜Ｐ３が示されている。
【図７】図１の携帯電話機１における変換テーブル選択時の動作の一例を示した図であり、カラーパレット選択用のアイコンが配置された表示画面２０が示されている。
【図８】本発明の実施の形態２による携帯情報端末の要部における構成例を示したブロック図である。
【図９】図８の携帯情報端末における視野角制御の一例を示した図である。
【符号の説明】
【００５６】
１  携帯電話機
２  画像データ記憶部
３  画像データ切替部
４  操作入力部
５  動作モード切替部
６  変換テーブル記憶部
７  フィルター処理部
３０  携帯情報端末
３１  領域分割処理部
３２  フィルター処理
１００  表示筐体
１０１  メインディスプレイ
１０２  サブディスプレイ
１０３  受話用レシーバ
１０４  カメラ
２００  操作筐体
２０１  操作キー
２０２  「視野切替」キー
２０３  送話用マイクロフォン
３００  ヒンジ部
【図１】
2008020750.tif 000003
【図２】
2008020750.tif 000004
【図３】
2008020750.tif 000005
【図４】
2008020750.tif 000006
【図５】
2008020750.tif 000007
【図６】
2008020750.tif 000008
【図７】
2008020750.tif 000009
【図８】
2008020750.tif 000010
【図９】
2008020750.tif 000011